(57)【特許請求の範囲】
【請求項１】
無線通信システムにおける使用のための通信装置（１）であって、
前記通信装置は、
各サブフレーム内で送信されるべき少なくとも１つのユーザ端末をスケジューリングするように構成されるスケジューリングユニット（９）と、
各サブフレーム内での前記少なくとも１つのユーザ端末への送信のために使用されるべき電力の第１の量を割当てるように構成される電力割当てユニット（１１）と、
を備え、
前記通信装置は、
選択されたサブフレームについてスケジューリングが実行された後に、前記選択されたサブフレーム内でいずれのユーザ端末にも割当てられていない余剰の電力が存在するかを判定し、存在する場合には、前記サブフレーム内でスケジューリングされている少なくとも１つのユーザ端末に前記余剰の電力の少なくとも第１の部分を割当てるように構成される修正ユニット（１５）と、
前記少なくとも第１のユーザ端末から受信されるＡＣＫ／ＮＡＣＫ信号に応じて、前記少なくとも第１のユーザ端末からレポートされるＣＱＩを調整するためのＣＱＩ調整ユニット（１３）と、
をさらに備え、
前記ＣＱＩ調整ユニット（１３）は、前記少なくとも第１のユーザ端末に余剰の電力が割当てられた転送ブロックに関するＡＣＫ／ＮＡＣＫ信号よりも、前記少なくとも第１のユーザ端末に余剰の電力が割当てられていない転送ブロックに関するＡＣＫ／ＮＡＣＫ信号をより大きく計算に入れて、ＣＱＩを調整するように構成される、
ことを特徴とする、通信装置。
【請求項２】
前記通信装置は、前記スケジューリング及び電力割当てに従って、前記無線通信システム内の複数のユーザ端末（３）にサブフレーム内で転送ブロックを送信するように構成される送信機（５）、をさらに備え、
前記送信機は、前記第１の量の電力及び前記少なくとも第１の部分の前記余剰の電力を用いて前記転送ブロックを送信するように構成される、
請求項１に記載の通信装置。
【請求項３】
前記スケジューリングユニット（９）は、前記サブフレーム内での使用のための転送ブロックサイズを判定するようにさらに構成され、
前記修正ユニット（１５）は、余剰の電力が利用可能である場合に、前記サブフレームについて最大の前記転送ブロックサイズが使用されるかを判定し、最大の前記転送ブロックサイズが使用されるときにのみ余剰の電力を割当てるようにさらに構成され、
最大の前記転送ブロックサイズは、選択されるＴＢＳが利用可能なＨＳ−ＰＤＳＣＨ符号の数及び変調方式についての候補の最大のもの又は前記ユーザ端末のユーザ機器カテゴリによりサポートされる候補の最大のもののいずれかとなる場合に対応するものとして、定義される、
請求項１又は請求項２に記載の通信装置。
【請求項４】
前記修正ユニット（１５）は、前記スケジューリングユニットにより設定されるスケジューリング順序に応じて、前記余剰の電力の前記少なくとも第１の部分を割当てるように構成される、請求項１〜３のいずれか１項に記載の通信装置。
【請求項５】
前記修正ユニット（１５）は、前記少なくとも第１のユーザ端末に割当てられる電力の前記第１の量に応じて、前記少なくとも第１のユーザ端末に割当てられる前記余剰の電力を制限するように構成される、請求項１〜４のいずれか１項に記載の通信装置。
【請求項６】
前記修正ユニット（１５）は、前記少なくとも１つのユーザ端末についての経験されるブロックエラーレートに基づいて、前記少なくとも１つのユーザ端末に余剰の電力が割当てられるべきかを判定するように構成される、請求項１〜５のいずれか１項に記載の通信装置。
【請求項７】
前記ＣＱＩ調整ユニット（１３）は、前記少なくとも第１のユーザ端末からの全てのＡＣＫ／ＮＡＣＫ信号に基づいて、経験されるブロックエラーレートを評価し、前記少なくとも第１のユーザ端末に余剰の電力が割当てられた転送ブロックに関するＡＣＫ／ＮＡＣＫ信号よりも、前記少なくとも第１のユーザ端末に余剰の電力が割当てられていない転送ブロックに関するＡＣＫ／ＮＡＣＫ信号をより大きく計算に入れて、フィルタリングされたブロックエラーレートをＡＣＫ／ＮＡＣＫ信号に基づいて評価する、請求項１に記載の通信装置。
【請求項８】
請求項１〜７のいずれか１項に記載の少なくとも１つの通信装置（１）を含むことを特徴とする、無線通信ネットワーク。
【請求項９】
サブフレーム内で複数のユーザ端末に情報が送信される無線通信システムにおける方法であって、
選択されるサブフレーム内で送信されるべき少なくとも１つのユーザ端末をスケジューリングするステップと、
前記少なくとも１つのユーザ端末に電力の第１の量を割当てるステップと、
スケジューリング後に、前記サブフレーム内に余剰の電力が存在するかを判定するステップと、
余剰の電力が存在する場合に、前記サブフレーム内でスケジューリングされている少なくとも１つのユーザ端末に前記余剰の電力の少なくとも第１の部分を割当てるステップと、
少なくとも第１のユーザ端末から受信されるＡＣＫ／ＮＡＣＫ信号に応じて、前記少なくとも第１のユーザ端末から受信されるＣＱＩについてのＣＱＩの調整を実行するステップと、
を含み、
前記ＣＱＩの調整は、前記少なくとも第１のユーザ端末に余剰の電力が割当てられた転送ブロックに関するＡＣＫ／ＮＡＣＫ信号よりも、前記少なくとも第１のユーザ端末に余剰の電力が割当てられていない転送ブロックに関するＡＣＫ／ＮＡＣＫ信号をより大きく計算に入れて実行される、
方法。
【請求項１０】
前記少なくとも１つのユーザ端末についての経験されるブロックエラーレートに基づいて、前記少なくとも１つのユーザ端末に余剰の電力が割当てられるべきか否かを判定するステップを含む、請求項９に記載の方法。
【請求項１１】
前記第１の量の電力及び前記少なくとも第１の部分の前記余剰の電力を用いて前記サブフレーム内で送信を行うステップをさらに含む、請求項９に記載の方法。
【請求項１２】
前記サブフレーム内での使用のための転送ブロックサイズを判定するステップと、
余剰の電力が利用可能である場合に、前記サブフレームについて最大の前記転送ブロックサイズが使用されるかを判定し、最大の前記転送ブロックサイズが使用されるときにのみ前記余剰の電力を割当てるステップと、
をさらに含み、
最大の前記転送ブロックサイズは、選択されるＴＢＳが利用可能なＨＳ−ＰＤＳＣＨ符号の数及び変調方式についての候補の最大のもの又は前記ユーザ端末のユーザ機器カテゴリによりサポートされる候補の最大のもののいずれかとなる場合に対応するものとして、定義される、
請求項１１に記載の方法。
【請求項１３】
所与のスケジューリング順序で、少なくとも２つのユーザ端末をスケジューリングするステップと、前記スケジューリング順序に応じて、前記少なくとも２つのユーザ端末に余剰の電力を割当てるステップと、を含む、請求項９〜１２のいずれか１項に記載の方法。
【請求項１４】
少なくとも第１のユーザ端末に割当てられる前記余剰の電力は、前記少なくとも第１のユーザ端末に割当てられる電力の前記第１の量に応じて制限される、請求項９〜１３のいずれか１項に記載の方法。
【請求項１５】
前記少なくとも第１のユーザ端末からの全てのＡＣＫ／ＮＡＣＫ信号に基づいて、経験されるブロックエラーレートを評価し、前記少なくとも第１のユーザ端末に余剰の電力が割当てられた転送ブロックに関するＡＣＫ／ＮＡＣＫ信号よりも、前記少なくとも第１のユーザ端末に余剰の電力が割当てられていない転送ブロックに関するＡＣＫ／ＮＡＣＫ信号をより大きく計算に入れて、フィルタリングされたブロックエラーレートを評価するステップ、を含む、請求項９に記載の方法。
【請求項１６】
無線通信ネットワーク内の無線基地局を制御するためのコンピュータプログラムであって、
プロセッサにおいて実行された際に請求項９〜１５のいずれか１項に記載の方法を前記無線基地局に実行させる、コンピュータにより読取可能なコード手段を有する、コンピュータにより読取可能な媒体に記憶される、
コンピュータプログラム。
【発明の詳細な説明】
【技術分野】
【０００１】
本発明は、無線通信ネットワークにおけるユーザ端末のスケジューリングに関する。より具体的には、当該発明は、そうしたネットワークにおける電力割当てのための無線基地局及び方法に関する。
【背景技術】
【０００２】
ＷＣＤＭＡシステムにおける高速ダウンリンク共有チャネル（ＨＳ−ＤＳＣＨ：High  Speed  Downlink  Shared  Channel）をスケジューリングする際、サブフレームとして知られる時間間隔において送信される転送ブロック（transport  block）内で、無線基地局からデータを受信する複数のユーザ端末が選択される。スケジューリングは、とりわけ、ユーザ端末から無線基地局へシグナリングされるチャネル品質インジケータ（ＣＱＩ：Channel  Quality  Indicator）に基づく。ＣＱＩは、転送フォーマットリソースコンビネーション（ＴＦＲＣ：Transport  Format  Resource  Combination）を決定するために使用され、ＴＦＲＣは、送信についてのあるターゲットとしてのブロックエラーレート（ＢＬＥＲ：Block  Error  Rate）を達成するために、転送ブロックサイズ（ＴＢＳ：Transport  Block  Size）、変調方式及びＨＳ−ＰＤＳＣＨ符号のセットと共に、要求される送信電力を特定する。典型的なターゲットＢＬＥＲは、１０％である。
【０００３】
例えば、ユーザ端末がチャネル品質を過剰に評価している場合、経験されるＢＬＥＲ（Experienced  BLER）はターゲットＢＬＥＲよりも高くなり、逆もまた同様であろう。間違った評価は、ユーザ端末からシグナリングされるＣＱＩにおけるオフセットを生じさせることになる。シグナリングされるＣＱＩにおけるそうしたオフセットを調整するために、ＣＱＩ調整機能が使用され得る。この機能は、受信されるＣＱＩをチャネル品質指標に変換し、チャネル品質指標は、負の又は正のバイアスを補償するために、上方へ（up）又は下方へ（down）調整されることができる。ＣＱＩ調整機能は、受信されるＡＣＫ／ＮＡＣＫ比、即ち、ターゲットＢＬＥＲに対する経験されるＢＬＥＲの比較に基づいており、経験されるＢＬＥＲがターゲットＢＬＥＲに適合するように、受信されるＣＱＩは、ＴＦＲＣを選択するために使用される前に調整される。
【０００４】
いくつかの場合、特に負荷の低いシナリオにおいて、ターゲットＢＬＥＲは、セル内の全ての利用可能な電力を用いることなく、スケジューリングされる全てのユーザ端末について達成され得る。
【発明の概要】
【発明が解決しようとする課題】
【０００５】
従って、無線通信ネットワークにおける利用可能な電力のより効率的な使用を可能とすることが、本発明の目的である。
【課題を解決するための手段】
【０００６】
本発明は、無線通信システムにおける使用のための通信装置に関し、上記通信装置は、各サブフレーム内で送信されるべき少なくとも１つのユーザ端末をスケジューリングするように構成されるスケジューリングユニットと、各サブフレーム内での上記少なくとも１つのユーザ端末への送信のために使用されるべき電力の第１の量を割当てるように構成される電力割当てユニットと、を備える。
【０００７】
上記通信装置は、選択されたサブフレームについてスケジューリングが実行された後に、上記選択されたサブフレーム内でいずれのユーザ端末にも割当てられていない余剰の電力が存在すれば、その場合には、上記サブフレーム内でスケジューリングされている少なくとも１つのユーザ端末に、当該少なくとも１つのユーザ端末への送信のための電力の上記第１の量に加えて、上記余剰の電力の少なくとも第１の部分を割当てるように構成される修正ユニット、をさらに備える。
【０００８】
本発明は、サブフレーム内で複数のユーザ端末に情報が送信される無線通信システムにおける方法にも関する。本発明のある観点によれば、上記方法は、選択されるサブフレーム内で送信されるべき少なくとも１つのユーザ端末をスケジューリングするステップと、上記少なくとも１つのユーザ端末への送信の際に使用されるべき電力の第１の量を上記少なくとも１つのユーザ端末に割当てるステップと、スケジューリング後に、上記サブフレーム内に余剰の電力が存在するかを判定するステップと、余剰の電力が存在する場合に、上記サブフレーム内でスケジューリングされている少なくとも１つのユーザ端末に、当該ユーザ端末への送信の際に電力の上記第１の量に加えて使用されるべき上記余剰の電力の少なくとも第１の部分を割当てるステップと、を含む。
【０００９】
一実施形態において、上記通信装置は、上記スケジューリング及び電力割当てに従って、上記無線通信システム内の複数のユーザ端末にサブフレーム内で転送ブロックを送信するように構成される送信機、をも備える。この場合、上記送信機は、上記第１の量の電力及び上記少なくとも第１の部分の上記余剰の電力を用いて上記サブフレームで送信を行うように構成される。また、上記送信機は、上記ネットワーク内の上記スケジューリングユニットとは別の装置において構成されてもよい。また、上記方法は、好適には、上記第１の量の電力及び上記少なくとも第１の部分の上記余剰の電力を用いて上記サブフレーム内で送信を行うことをも含む。
【００１０】
上記通信装置は、関係する標準に従った無線基地局であってもよい。
【００１１】
よって、全ての選択されたユーザ端末が、あるターゲットＢＬＥＲを目標として決定される送信電力と共に来るべきサブフレームについてスケジューリングされると、セル内の余剰の電力がスケジューリングされている１つ以上のユーザ端末に適用され得る。割当てられる上記余剰の電力は、余剰の電力が割当てられたユーザ端末の経験されるＢＬＥＲを低下させ、それによりそれらユーザ端末についてのピークのレートが増加する。余剰の電力は、特定のサブフレーム内にスケジューリングされている１つ以上のユーザ端末に割当てられてよい。当該割当ては、複数の異なる基準の個々又は組合せに従ってなされてよい。
【００１２】
特定のユーザ端末について電力が増加すると、当該ユーザ端末の経験されるＢＬＥＲが低減される。ＣＱＩ調整機能は、受信されるＡＣＫ／ＮＡＣＫの比を比較することにより、即ち、ターゲットＢＬＥＲに対して経験されるＢＬＥＲを比較することにより、受信されるＣＱＩを調整し、受信されるＣＱＩの調整は、経験されるＢＬＥＲがターゲットＢＬＥＲに適合するようになされる。本発明の実施形態によれば、ユーザ端末に余分の電力が割当てられると、当該ユーザ端末についての経験されるＢＬＥＲは低減される。結果として、当該ユーザ端末についての経験されるＢＬＥＲは、余分の電力がなかった場合よりも低下する。これは、ＣＱＩ調整機能により、その無線条件を低く見積もりすぎていると誤って解釈されるであろう。これは、調整されたＣＱＩが低すぎるＢＬＥＲに基づくものであることから、例えば受信されるＡＣＫ／ＮＡＣＫ比に基づくＣＱＩ調整アルゴリズムを想定すると、スケジューリングにおけるエラーにつながる。
【００１３】
好適な実施形態では、ＣＱＩ上の変更されるＢＬＥＲの影響が補償される。この実施形態では、上記通信装置は、上記少なくとも第１のユーザ端末から受信されるＡＣＫ／ＮＡＣＫ信号に応じて、上記少なくとも第１のユーザ端末からレポートされるＣＱＩを調整するためのＣＱＩ調整部、をさらに備える。上記ＣＱＩ調整部は、上記少なくとも第１のユーザ端末に余剰の電力が割当てられた転送ブロックに関するＡＣＫ／ＮＡＣＫ信号よりも、上記少なくとも第１のユーザ端末に余剰の電力が割当てられていない転送ブロックに関するＡＣＫ／ＮＡＣＫ信号をより大きく計算に入れて、ＣＱＩを調整するように構成される。ＣＱＩの調整は、上記少なくとも第１のユーザ端末に余剰の電力が割当てられていない転送ブロックについてのＡＣＫ／ＮＡＣＫ信号のみに基づいて実行されてもよい。その代わりに、余剰の電力が割当てられていない転送ブロックに関するＡＣＫ／ＮＡＣＫ信号に結果が主に（predominantly）基づくことになるように、ＡＣＫ／ＮＡＣＫ信号が重み付けされてもよい。よって、この場合、余剰の電力が割当てられていない転送ブロックに関するＡＣＫ／ＮＡＣＫ信号には、余剰の電力が割当てられている転送ブロックに関するＡＣＫ／ＮＡＣＫ信号よりも実質的に高い重みが与えられるべきである。好適には、ＣＱＩ調整ユニットは、上記少なくとも第１のユーザ端末からの全てのＡＣＫ／ＮＡＣＫ信号に基づいて、経験されるブロックエラーレートを評価し、上記少なくとも第１のユーザ端末に余剰の電力が割当てられていない転送ブロックに関するＡＣＫ／ＮＡＣＫ信号に主に基づいて、フィルタリングされたＢＬＥＲ（filtered  BLER）を評価する。
【００１４】
これは、余剰の電力が適用される際にターゲットＢＬＥＲから経験されるＢＬＥＲが逸脱することを計算に入れることで、通信装置において一般的に実行されるＣＱＩの調整を改善するであろう。
【００１５】
好適な実施形態において、上記修正ユニットは、上記少なくとも１つのユーザについての経験されるブロックエラーレートに基づいて、上記少なくとも１つのユーザに余剰の電力が割当てられるべきかを判定するように構成される。これは、追加的な電力によって経験されるＢＬＥＲがある許容可能な範囲に入らないケース、及び追加的な電力を許可せず代わりにＣＱＩを下方に補償する方がよいというケースを検出することを可能とする。一実施形態において、経験されるＢＬＥＲについての上記許容可能な範囲は、ターゲットＢＬＥＲに基づく。他の実施形態において、経験されるＢＬＥＲについての上記許容可能な範囲は、使用される送信電力に基づく想定されるブロックエラー確率（ＢＬＥＰ：Block  Error  Probability）に基づく。
【００１６】
一実施形態において、経験されるＢＬＥＲは、ある数のＡＣＫ／ＮＡＣＫのサンプルが収集された場合に評価され、経験されるＢＬＥＲが許容可能な範囲内に入っていなければ、フィルタリングされたＢＬＥＲがＣＱＩ調整機能において評価されるまで、余分の電力をユーザに割当て得ることは許可されるべきでない。余分の電力が割当てられれば、経験されるＢＬＥＲは低下するが、経験されるＢＬＥＲが低すぎれば、ＣＱＩ調整機能を評価することが有益であり得る。なぜならば、それにより、受信されるＣＱＩの上方への調整がより大きなＴＢＳが選択されることを可能とするためである。ＴＢＳの候補のうち最大のもの（the  largest  possible  TBS）が既に使用されていれば、ＣＱＩの調整は必要でない。
【００１７】
余剰の電力は、様々なアルゴリズムに従って、サブフレーム内でスケジューリングされるユーザ端末間で分配されてよい。例えば、上記修正ユニットは、スケジューリングユニットにより設定されるスケジューリング順序に応じて、上記余剰の電力の上記少なくとも第１の部分を割当てるように構成されてもよい。
【００１８】
いかなる所与のユーザ端末に割当てられる余剰の電力も、絶対的な項、又はユーザ端末に当初割当てられる電力に対する相対値において制限されてよい。これは、増加する電力から得られる改善が、電力レベルで制限されるためである。
【００１９】
＜略語及び省略＞
ＡＣＫ（Acknowledgement）  確認応答
ＢＬＥＰ（Block  Error  Probability）  ブロックエラー確率
ＢＬＥＲ（Block  Error  Rate）  ブロックエラーレート
ＣＱＩ（Channel  Quality  Indicator）  チャネル品質インジケータ
ＦＤＤ（Frequency  Division  Duplex）  周波数分割複信
ＨＳ−ＤＳＣＨ（High  Speed  Downlink  Shared  Channel）  高速ダウンリンク共有チャネルl
ＨＳ−ＰＤＳＣＨ（High  Speed  Physical  Downlink  Shared  Channel）  高速物理ダウンリンク共有チャネル
ＮＡＣＫ（Negative  Acknowledgement）  否定応答
ＲＢＳ（Radio  Base  Station）  無線基地局
ＴＢ（Transport  Block）  転送ブロック
ＴＢＳ（Transport  Block  Size）  転送ブロックサイズ
ＴＦＲＣ（Transport  Format  Resource  Combination）  転送フォーマットリソースコンビネーション
ＷＣＤＭＡ（Wideband  Code  Division  Multiple  Access）  広帯域符号分割多重アクセス
【図面の簡単な説明】
【００２０】
以下に、添付図面を参照しながら本発明をより詳細に説明する。
【００２１】
【図１】本発明が実装され得る無線通信ネットワークを示している。
【図２】本発明の一実施形態に係る電力を割当てるための方法のフローチャートである。
【図３】本発明の一実施形態に係るＢＬＥＲの判定を示している。
【図４】本発明の一実施形態に係るＣＱＩの調整のための方法のフローチャートである。
【図５】本発明の一実施形態に係るＢＬＥＲの追跡のフローチャートである。
【発明を実施するための形態】
【００２２】
図１は、複数の移動端末３との無線通信のために構成される無線基地局１を示している。当該無線基地局は、典型的には、無線通信ネットワークの一部であり、明瞭さのために１つの基地局のみが示されている。
【００２３】
無線基地局１は、ここではアンテナ５で表現されている送信を実行するために必要なソフトウェア及びハードウェアと、当該分野において知られている通り無線基地局３のための制御機能を実行するように構成される制御装置７とを備える。ここでは、本発明に関係する制御機能のみが議論される。制御機能は、これからのサブフレーム内で送信されるべき転送ブロックを受信しようとしているユーザ端末をスケジューリングするためのスケジューリング機能９を含む。また、転送ブロックを受信しようとしているユーザ端末にサブフレーム内で利用可能な電力を割当てるための電力割当て機能１１も存在する。
【００２４】
スケジューリング機能は、当分野において一般的な通り実行される。とりわけ、ＴＢＳと、変調方式と、ＨＳ−ＰＤＳＣＨ符号のセットと、送信についてのあるターゲットＢＬＥＲを達成するために使用されるべき要求送信電力と、を含むＴＦＲＣを判定するために、ＣＱＩが使用される。
【００２５】
典型的には、特定の端末からレポートされたＣＱＩが実際の状況に適合しない場合にＣＱＩの調整を実行するためのＣＱＩ調整機能１３も存在する。当分野において一般的である通り、ＣＱＩの調整は、各端末３から受信されるＡＣＫ／ＮＡＣＫ信号に基づいて実行される。
【００２６】
本発明のある観点によれば、ＣＱＩ調整機能１３は、そうしたユニットの従来の機能に加えて、１つ以上のユーザ端末に余分な（extra）電力が割当てられている場合にＢＬＥＲの値を修正するための補償を行うように構成される。この修正機能は、図３〜図５に関連してより詳細に議論される。
【００２７】
本発明のある観点によれば、修正機能１５は、各転送ブロックについての電力割当ての最適化のために構成される。端的に言えば、これは、サブフレームのスケジューリングが完了した際にサブフレーム内で利用可能な全ての電力が割当てられたかを判定することにより達成される。もし割当てられていなければ、余剰の（excess）電力を当該サブフレームについてスケジューリングされる１つ以上のユーザ端末に割当てることができる。これを行うための手続が、図２に関連して議論される。
【００２８】
理解されるように、制御装置により実行される制御機能は、１つ以上の記憶部に記憶される１つ以上のコンピュータプログラムとして実装され、１つ以上の処理部（図示せず）上で実行される。当該機能は、別個の論理ユニットにおいて実装されてもよく、又は適切な形でグループ化されてもよい。よって、図１においてなされているユニット群への分割は、単に明瞭さのためのものである。
【００２９】
図２は、本発明の好適な実施形態に係る余剰の電力の割当方法のフローチャートである。
ステップＳ２１において、少なくとも１つのユーザ端末がサブフレーム内にスケジューリングされる。
ステップＳ２２において、当分野でよく知られている通り、ＴＦＲＣが判定される。
ステップＳ２３において、当分野で知られている手法で、スケジューリングされたユーザ端末の各々に電力が割当てられる。
ステップＳ２４において、電力割当て後に転送ブロックについて余剰の電力が存在するかが判定される。ＹｅｓであればステップＳ２５へ進み、ＮｏであればステップＳ２７へ進む。ステップＳ２５では、余剰の電力がスケジューリングされたユーザ端末の１つ以上に割当てられる。余剰の電力の割当ては、後に議論するように、複数の異なる手法で決定されてよい。
ステップＳ２６において、余剰の電力が割当てられた場合に、転送ブロックのためにフラグが設定される。このフラグは、後に議論するように、２つの異なるＢＬＥＲ値の計算を有効化するために必要とされる。
ステップＳ２７において、スケジューリングされたユーザ端末へ転送ブロックが送信される。
ステップＳ２４〜Ｓ２６は、サブフレーム内でスケジューリングされたユーザ端末の各々について実行される。
【００３０】
余剰の電力を獲得することになるサブフレーム内のユーザ端末と、それぞれ割当てられる当該余分の電力とは、限定ではないが、次のような複数の異なる手法で決定されてよい：
−スケジューリング優先度、即ち、最初にスケジューリングされるユーザ端末に最初に、２番目にスケジューリングされるユーザ端末に次に、などのように、スケジューリング順序に従って余剰の電力が割当てられる。
−経験されるＢＬＥＲ、例えば、経験されるＢＬＥＲの最も高いスケジューリングされたユーザ端末にまず余剰の電力が割当てられる。
−公平さ（fairness）、即ち、当該サブフレームについてスケジューリングされたユーザに均等に余剰の電力が分割される。
【００３１】
余剰の電力がある場合に、当該余剰の電力を割当てるべきか否かを判定するための図２に示されていない追加的な決定ステップが含まれてもよい。これは、複数の異なる基準に従ってなされ得る。
【００３２】
転送ブロックについて利用可能であるために必要とされる余剰の電力の最小量が、任意のユーザ端末に割当てられる余分の電力のために設定される。この最小量は、限定ではないが、以下のいずれかに従って設定されてよい：
−絶対的な指標（あるワット数）
−サブフレーム内で利用可能な総電力に対する相対値
−ユーザ端末に既に割当てられている電力に対する相対値
−スケジューリング後に利用可能な余剰の電力の量に対する相対値
【００３３】
転送ブロックについて割当てられ得る余剰の電力の最大量は、限定ではないが、以下のいずれかに従って設定されてよい：
−絶対的な指標（あるワット数）
−サブフレーム内で利用可能な総電力に対する相対値
−ユーザ端末に既に割当てられている電力に対する相対値
−スケジューリング後に利用可能な余剰の電力の量に対する相対値
【００３４】
また、余剰の電力は、特定のユーザ端末については、既定のターゲットＢＬＥＲよりも低いターゲットＢＬＥＲを設定することにより割当てられてもよい。また、当該余剰の電力は、選択されるＴＦＲＣ、即ち選択されるＴＢＳ、送信電力、ＨＳ−ＰＤＳＣＨ符号の数、及び変調方式に応じて割当てられてもよい。
【００３５】
当然ながら、余剰の電力の割当ての上記方法は、様々な手法で組合せられてもよい。例えば、余剰の電力がある最小値を上回る場合には、スケジューリング優先度のみに従って余剰の電力が割当てられてもよい。
【００３６】
一実施形態において、余剰の電力は、選択されるＴＢＳが利用可能なＨＳ−ＰＤＳＣＨ符号の数及び変調方式についての候補のうち最大のもの、又は、ネットワークとの組合せにおけるユーザ機器カテゴリ（user  equipment  category）によりサポートされる候補のうち最大のもの、のいずれかに対応するスケジューリングされたユーザ端末のみに割当てられる。本文書において、これは、“最大ＴＢＳ”の定義として使用される。上で議論したように、余剰の電力が割当てられた転送ブロックでは、経験されるＢＬＥＲがターゲットＢＬＥＲに適合しなくなり、そうした転送ブロックに対応するＡＣＫ／ＮＡＣＫを用いてＣＱＩ調整機能によりＣＱＩを調整することができなくなる。従って、余剰の電力を扱うためのよりよい手法は、初回のスケジューリングにおいて可能な限り多くの利用可能な電力が割当てられることをまず保証し、ユーザ端末に余剰の電力が割当てられた転送ブロックの数を最小化し、それによりＣＱＩ調整機能の乱れを最小化することである。
【００３７】
上述の内容に従って電力の割当ての最適な改良を達成するために、正確なＢＬＥＲの値を用いてＣＱＩを調整することが重要である。従って、一実施形態によれば、ＢＬＥＲの値は、余剰の電力が割当てられていない転送ブロックについてのＢＬＥＲのみを反映し、又は当該ＢＬＥＲのみを主に反映するように修正される。好適には、２つのＢＬＥＲの値が計算される：
余剰の電力が割当てられたか否かとは無関係に、ユーザ端末により経験される実際のブロックエラーレートに対応する、全ての転送ブロックからのＡＣＫ／ＮＡＣＫに基づく、経験されるＢＬＥＲ値、
余剰の電力が割当てられなかった転送ブロックからのＡＣＫ／ＮＡＣＫのみに基づき、又は主に当該ＡＣＫ／ＮＡＣＫに基づく、フィルタリングされたＢＬＥＲ値。上述したように、これは、フィルタリングされたＢＬＥＲ値の計算の際に、異なるブロックについて異なる重みを用いることにより達成されてもよい。
【００３８】
図３は、経験されるＢＬＥＲ値及びフィルタリングされたＢＬＥＲ値を生成するためのＡＣＫ／ＮＡＣＫの選択を示している。３）において、複数の転送ブロックについてのＡＣＫ／ＮＡＣＫが受信される。当該ＡＣＫ／ＮＡＣＫは、１，２，３から１００まで付番され、再び１から始められる。３ｂ）において、余剰の電力が割当てられた転送ブロックに関するＡＣＫ／ＮＡＣＫにフラグが設定されている。これらブロックは図３のｂ）において、網掛けされて示されている。図３のｃ）において、フラグが設定されていないもののみについて、即ち、余剰の電力が割当てられなかった転送ブロックに関するＡＣＫ／ＮＡＣＫが選択されている。これらブロックは、再付番され、ある数、例えば１００ブロックそうしたブロックが集まると、それらを使用してフィルタリングされたＢＬＥＲが評価される。
【００３９】
図４は、図２の方法の観点において適合されるＣＱＩ調整方法のフローチャートである。
ステップＳ４１において、ある転送ブロックについてＡＣＫ／ＮＡＣＫが受信される。
ステップＳ４２において、当該転送ブロックについて余剰の電力が割当てられたことを示すフラグが設定されているかがチェックされる。
ステップＳ４１及びＳ４２は、ＡＣＫ／ＮＡＣＫが受信されるごとに実行される。
ステップＳ４３において、余剰の電力が割当てられていない転送ブロックに関して受信されたＡＣＫ／ＮＡＣＫのみが選択され、その他は破棄される。十分な数のＡＣＫ／ＮＡＣＫがステップＳ４３において選択されると、フィルタリングされたＢＬＥＲの新たな値、即ち、ステップＳ４３において選択されたＡＣＫ／ＮＡＣＫのみに基づくブロックエラーレートが、ステップＳ４４において計算される。
ステップＳ４５において、ステップＳ４４にて決定されたフィルタリングされたＢＬＥＲに基づいて、ＣＱＩの調整量（adjustment）が見積もられる。そして、当分野においてよく知られているように、ＣＱＩの調整が実行される。そして、本手続は、ステップＳ４１において再開する。
【００４０】
図５は本発明の一実施形態に係るブロックエラーレートの追跡のより詳細なフローチャートである。
ステップＳ５１において、ＣＱＩ調整機能は、ＡＣＫ／ＮＡＣＫを待ち受ける。ＡＣＫ／ＮＡＣＫが受信されると、ステップＳ５２において、当該ＡＣＫ／ＮＡＣＫに関連する転送ブロックについて余分の電力が使用されたか否かがＣＱＩ調整機能により判定される。ＹｅｓであればステップＳ５３へ進み、ＮｏであればステップＳ５７へ進む。
ステップＳ５３において、経験されるＢＬＥＲについての新たな値が計算される。これは、全ての転送ブロックに基づく、受信機により実際に経験されるブロックエラーレートである。
ステップＳ５４において、ＣＱＩ調整機能は、経験されるＢＬＥＲを評価すべき時点かどうかを判定する。これは、典型的には、例えば１００など、ある数の転送ブロックの後に行われるが、他の基準に従って実行されてもよい。
ステップＳ５５において、経験されるＢＬＥＲの値に基づいて、余分の電力がユーザ端末に割当てられ得るか否かが評価される。
ステップＳ５６において、経験されるＢＬＥＲがリセットされ。本手続はステップＳ５１へ戻る。
ステップＳ５７において、転送ブロックについて余分の電力が使用されていなければ、当該転送ブロックに関するＡＣＫ／ＮＡＣＫは、フィルタリングされたＢＬＥＲについての新たな値の計算の際に使用され得る。
ステップＳ５８において、ＣＱＩ調整機能は、フィルタリングされたＢＬＥＲを評価すべき時点かどうかを判定する。これは、典型的には、例えば１００など、余分の電力が割当てられていないある数の転送ブロックの後に行われるが、他の基準に従って実行されてもよい。
ステップＳ５９において、フィルタリングされたＢＬＥＲの新たな値に基づいて、ＣＱＩの調整量が評価され、場合によっては変更される。そして、フィルタリングされたＢＬＥＲの値はリセットされ、ステップＳ５６に進む。
【００４１】
典型的には、ＡＣＫ／ＮＡＣＫのカウンタが、ステップＳ５４及びＳ５８において評価をいつ実行すべきかを判定するために使用される。その場合、それぞれのカウンタは、対応するＢＬＥＲの値がリセットされる際にリセットされる。
【図１】
0005412527.tif 000002
【図２】
0005412527.tif 000003
【図３】
0005412527.tif 000004
【図４】
0005412527.tif 000005
【図５】
0005412527.tif 000006